(57)【要約】【課題】木管楽器の音孔を確実に塞ぎ、安定した音色を発生することができる木管楽器用タンポを提供する。【解決手段】フルート１の音孔４を塞ぐフェルト２１（クッション材）を、小径部２１ａと、これよりも音孔４側に連設された大径部２１とから形成し、そして、小径部２１ａの外周に補強リング２２（補強手段）を設け、スキン２４（被覆材）を用いてこれらを覆い、かつ、補強リング２２は、大径部２１ｂの縁部２１ｃをスキン２４との間に挟み込むように設けた。【選択図】図２
2006285123.tif 000002
【特許請求の範囲】
【請求項１】
音孔を塞ぐクッション材と、前記クッション材を覆う被覆材とを備えた木管楽器用タンポにおいて、
前記クッション材の外周部に、前記クッション材を補強する補強手段を備えること、
を特徴とする木管楽器用タンポ。
【請求項２】
請求項１に記載の木管楽器用タンポにおいて、
前記補強手段は、前記クッション材の外周部に設けられた補強リングであること、
を特徴とする木管楽器用タンポ。
【請求項３】
請求項２に記載の木管楽器用タンポにおいて、
前記クッション材と前記補強リングとは、接着されていること、
を特徴とする木管楽器用タンポ。
【請求項４】
請求項２又は請求項３に記載の木管楽器用タンポにおいて、
前記補強リングは、前記被覆材により覆われていること、
を特徴とする木管楽器用タンポ。
【請求項５】
請求項２から請求項４までのいずれか１項に記載の木管楽器用タンポにおいて、
前記クッション材は、小径部と、前記小径部よりも前記音孔側に配置され、前記小径部よりも径が大きい大径部とから形成され、
前記補強リングは、前記小径部の外周部に設けられていること、
を特徴とする木管楽器用タンポ。
【請求項６】
請求項２から請求項４までのいずれか１項に記載の木管楽器用タンポにおいて、
前記クッション材は、小径部材と、前記小径部材とは別部材であり、前記小径部材よりも前記音孔側に配置され、前記小径部材よりも径が大きい大径部材とから形成され、
前記補強リングは、前記小径部材の外周部に設けられていること、
を特徴とする木管楽器用タンポ。
【請求項７】
請求項６に記載の木管楽器用タンポにおいて、
前記小径部材と前記大径部材とは、接着されていること、
を特徴とする木管楽器用タンポ。
【請求項８】
請求項１に記載の木管楽器用タンポにおいて、
前記補強手段は、前記クッション材の前記外周部を硬化させた部分であること、
を特徴とする木管楽器用タンポ。
【請求項９】
請求項１に記載の木管楽器用タンポにおいて、
前記補強手段は、前記クッション材の前記外周部を絡げた部分であること、
を特徴とする木管楽器用タンポ。
【請求項１０】
音孔を塞ぐ円環状のクッション材と、
前記クッション材を覆う被覆材とを備えた木管楽器用タンポにおいて、
前記クッション材の内周部及び／又は外周部に、前記クッション材を補強する補強手段を備えること、
を特徴とする木管楽器用タンポ。
【請求項１１】
請求項１０に記載の木管楽器用タンポにおいて、
前記補強手段は、前記クッション材の内周部及び／又は外周部に設けられた補強リングであること、
を特徴とする木管楽器用タンポ。
【請求項１２】
請求項１１に記載の木管楽器用タンポにおいて、
前記クッション材と前記補強リングとは、接着されていること、
を特徴とする木管楽器用タンポ。
【請求項１３】
請求項１１又は請求項１２に記載の木管楽器用タンポにおいて、
前記補強リングは、前記被覆材により覆われていること、
を特徴とする木管楽器用タンポ。
【請求項１４】
請求項１１から請求項１３までのいずれか１項に記載の木管楽器用タンポにおいて、
前記クッション材は、小径部と、前記小径部よりも前記音孔側に配置され、前記小径部よりも径が大きい大径部とから形成され、
前記補強リングは、前記小径部の内周部及び／又は外周部に設けられていること、
を特徴とする木管楽器用タンポ。
【請求項１５】
請求項１４に記載の木管楽器用タンポにおいて、
前記クッション材は、小径部材と、前記小径部材とは別部材であり、前記小径部材よりも前記音孔側に配置され、前記小径部材よりも径が大きい大径部材とから形成され、
前記補強リングは、前記小径部材の内周部及び／又は外周部に設けられていること、
を特徴とする木管楽器用タンポ。
【請求項１６】
請求項１５に記載の木管楽器用タンポにおいて、
前記小径部材と前記大径部材とは、接着されていること、
を特徴とする木管楽器用タンポ。
【請求項１７】
請求項１０に記載の木管楽器用タンポにおいて、
前記補強手段は、前記クッション材の内周部及び／又は外周部を硬化させた部分であること、
を特徴とする木管楽器用タンポ。
【請求項１８】
請求項１０に記載の木管楽器用タンポにおいて、
前記補強手段は、前記クッション材の内周部及び／又は外周部を絡げた部分であること、
を特徴とする木管楽器用タンポ。
【発明の詳細な説明】
【技術分野】
【０００１】
本発明は、木管楽器の音孔を塞ぐ木管楽器用タンポに関するものである。
【背景技術】
【０００２】
従来から、フルート、クラリネット、サクソフォン等の木管楽器は、演奏者が楽器に設けられた鍵機構を操作して演奏していた。この鍵機構には、タンポと呼ばれる部材が設けられており、このタンポを用いて、木管楽器に設けられた複数の音孔のうち所定の音孔を選択して塞ぐことにより、所望の音色を発生させていた（例えば、特許文献１）。
【０００３】
以下、図面等を用いて、この鍵機構、タンポ等の構成等について説明する。
図５は、従来のフルート１０１（木管楽器）の構造を示す図であり、図５（ａ）は、音孔周辺の断面図、図５（ｂ）は、タンポの縦断面図、図５（ｃ）は、タンポの横断面図（図５（ｂ）のＥ−Ｅ部断面図）である。
フルート１０１は、図５（ａ）に示すように、フルート本体１０２に設けられた分岐管１０３と、この分岐管１０３の開口孔である音孔１０４を塞ぐための鍵機構１１０を有している。
鍵機構１１０は、そのカップ１１１にタンポ１２０が収容されており、演奏者の演奏に従って、音孔１０４がタンポ１２０により開閉されることにより（回転方向θ２）、フルート１０１は、所望の音色を発生する。
【０００４】
タンポ１２０は、図５（ｂ）に示すように、クッション材であるフェルト１２１と、台紙である基板１２３と、これらを覆うスキン１２４（被覆材）とから構成される。
フェルト１２１は、適度な弾力を有したクッション材であり、分岐管１０３の開口縁部１０３ａに当接したときに撓んで、確実に音孔１０４を塞ぎ、かつ、演奏者が適度なタッチ感を得られるようにするための部材である。
【０００５】
しかし、従来のタンポ１２０は、フェルト等から構成されるため、図６（ａ）、図６（ｂ）に示すように、変形する可能性があった。
図６（ａ）は、従来のタンポ１２０の変形を示す縦断面図であり、図６（ｂ）は、横断面図（図６（ａ）のＦ−Ｆ部断面図）である。
従来のタンポ１２０は、例えば、スキン１２４が湿度の変化等のために縮んだりすると、図６（ａ）に示すように、フェルト１２１の音孔側の外縁部１２１ｃが、剛性がないために、丸みを帯びるように、変形する可能性があった。また、従来のタンポ１２０は、フェルト１２１、台紙１２３等から構成されるため、全体としても剛性が低く、スキン１２４の縮み等の変形によって、その面が歪んだり反ったりする可能性があった（歪み、反りの方向を誇張して２点鎖線Ｇ１，Ｇ２で示す。）。これらによる変形が大きい場合、分岐管１０３の開口縁部１０３ａ（図５（ａ）参照）とタンポ１２０との間に隙間が生じ、音孔１０４を確実に塞げない場合が生じる。これは、息漏れの原因となり、安定した音色の発生、安定した演奏を阻害するため、好ましくない。
【０００６】
一方、従来から、フルートに用いるタンポには、図６（ｃ）に示すように、前述とは別のタイプのタンポ２２０があった。タンポ２２０は、フェルト２２１と基板２２３との外周に、両者を足した厚さよりも厚いリング２２６を設けたもので、フェルト２２１とスキン２２４との間に、積極的に隙間Ｈができるように構成されている。これは、演奏時にタンポ２２０が、分岐管１０３の開口縁部１０３ａに当接したときに、スキン２２４を撓まして、開口縁部１０３ａに密着させ、息漏れを防止するためである。しかし、タンポ２２０とタンポ１２０とは、鍵機構１１０の操作時のタッチ感が異なり、演奏者がタンポ２２０のタイプを好まない場合もあり、基本的に別の性格のタンポである。すなわち、タンポ２２０によっては、タンポ１１０のタッチ感を得ると同時に、演奏時の息漏れを防止することが不可能である。
【特許文献１】特開２００４−２７９５８５号公報
【発明の開示】
【発明が解決しようとする課題】
【０００７】
本発明の課題は、木管楽器の音孔を確実に塞ぎ、安定した音色を発生することができる木管楽器用タンポを提供することである。
【課題を解決するための手段】
【０００８】
本発明は、以下のような解決手段により、課題を解決する。なお、理解を容易にするために、本発明の実施例に対応する符号を付して説明するが、これに限定されるものではない。
請求項１の発明は、音孔（４）を塞ぐクッション材（２１）と、前記クッション材（２１）を覆う被覆材（２４）とを備えた木管楽器用タンポ（２０）において、前記クッション材（２１）の外周部に、前記クッション材（２１）を補強する補強手段（２２）を備えること、を特徴とする木管楽器用タンポである。
【０００９】
請求項２の発明は、請求項１に記載の木管楽器用タンポにおいて、前記補強手段（２２）は、前記クッション材（２１）の外周部に設けられた補強リング（２２）であること、を特徴とする木管楽器用タンポである。
請求項３の発明は、請求項２に記載の木管楽器用タンポにおいて、前記クッション材（２１）と前記補強リング（２２）とは、接着されていること、を特徴とする木管楽器用タンポである。
請求項４の発明は、請求項２又は請求項３に記載の木管楽器用タンポにおいて、前記補強リング（２２）は、前記被覆材（２４）により覆われていること、を特徴とする木管楽器用タンポである。
請求項５の発明は、請求項２から請求項４までのいずれか１項に記載の木管楽器用タンポにおいて、前記クッション材（２１）は、小径部（２１ａ）と、前記小径部（２１ａ）よりも前記音孔（４）側に配置され、前記小径部（２１ａ）よりも径が大きい大径部（２１ｂ）とから形成され、前記補強リング（２２）は、前記小径部（２１ａ）の外周部に設けられていること、を特徴とする木管楽器用タンポである。
請求項６の発明は、請求項２から請求項４までのいずれか１項に記載の木管楽器用タンポにおいて、前記クッション材（３１）は、小径部材（３１ａ）と、前記小径部材（３１ａ）とは別部材であり、前記小径部材（３１ａ）よりも前記音孔側（４）に配置され、前記小径部材（３１ａ）よりも径が大きい大径部材（３１ｂ）とから形成され、前記補強リング（２２）は、前記小径部材（３１ａ）の外周部に設けられていること、を特徴とする木管楽器用タンポである。
請求項７の発明は、請求項６に記載の木管楽器用タンポにおいて、前記小径部材（３１ａ）と前記大径部材（３１ｂ）とは、接着されていること、を特徴とする木管楽器用タンポである。
請求項８の発明は、請求項１に記載の木管楽器用タンポにおいて、前記補強手段は、前記クッション材（２１）の前記外周部を硬化させた部分であること、を特徴とする木管楽器用タンポである。
請求項９の発明は、請求項１に記載の木管楽器用タンポにおいて、前記補強手段は、前記クッション材（２１）の前記外周部を絡げた部分であること、を特徴とする木管楽器用タンポである。
【００１０】
請求項１０の発明は、音孔（４）を塞ぐ円環状のクッション材（４１）と、前記クッション材（４１）を覆う被覆材とを備えた木管楽器用タンポにおいて、前記クッション材（４１）の内周部及び／又は外周部に、前記クッション材（４１）を補強する補強手段（４２，４５）を備えること、を特徴とする木管楽器用タンポである。
【００１１】
請求項１１の発明は、請求項１０に記載の木管楽器用タンポにおいて、前記補強手段（４２，４５）は、前記クッション材（４１）の内周部及び／又は外周部に設けられた補強リング（４２，４５）であること、を特徴とする木管楽器用タンポである。
請求項１２の発明は、請求項１１に記載の木管楽器用タンポにおいて、前記クッション材（４１）と前記補強リング（４２，４５）とは、接着されていること、を特徴とする木管楽器用タンポである。
請求項１３の発明は、請求項１１又は請求項１２に記載の木管楽器用タンポにおいて、前記補強リング（４２，４５）は、前記被覆材により覆われていること、を特徴とする木管楽器用タンポである。
請求項１４の発明は、請求項１１から請求項１３までのいずれか１項に記載の木管楽器用タンポにおいて、前記クッション材（４１）は、小径部（４１ａ）と、前記小径部（４１ａ）よりも前記音孔（４）側に配置され、前記小径部（４１ａ）よりも径が大きい大径部（４１ｂ）とから形成され、前記補強リング（４２，４５）は、前記小径部（４１ａ）の内周部及び／又は外周部に設けられていること、を特徴とする木管楽器用タンポである。
請求項１５の発明は、請求項１４に記載の木管楽器用タンポにおいて、前記クッション材（４１）は、小径部材と、前記小径部材とは別部材であり、前記小径部材よりも前記音孔側に配置され、前記小径部材よりも径が大きい大径部材とから形成され、前記補強リング（４２，４５）は、前記小径部材の内周部及び／又は外周部に設けられていること、を特徴とする木管楽器用タンポである。
請求項１６の発明は、請求項１５に記載の木管楽器用タンポにおいて、前記小径部材と前記大径部材とは、接着されていること、を特徴とする木管楽器用タンポである。
請求項１７の発明は、請求項１０に記載の木管楽器用タンポにおいて、前記補強手段は、前記クッション材（４１）の内周部及び／又は外周部を硬化させた部分であること、を特徴とする木管楽器用タンポである。
請求項１８の発明は、請求項１０に記載の木管楽器用タンポにおいて、前記補強手段は、前記クッション材（４１）の内周部及び／又は外周部を絡げた部分であること、を特徴とする木管楽器用タンポである。
【発明の効果】
【００１２】
本発明によれば、以下の効果を奏することができる。
（１）本発明は、音孔を塞ぐクッション材と、その被覆材とを備えた木管楽器用タンポにおいて、クッション材の外周部に、クッション材を補強する補強手段を備えている。
これにより、クッション材の剛性を高め、歪みを防止することができる。そして、音孔を確実に塞ぎ、演奏時における息漏れを防止して、安定した音色を得ることができる。また、特に製造時におけるタンポ調整（音孔とタンポとの当たりの調整）の作業性を、向上することができる。
【００１３】
（２）本発明は、補強手段が、クッション材の外周部に設けられた補強リングであるので、木管楽器用タンポの特に外周部の剛性を高めることができる。そして、外縁部の変形を防止して、音孔をより確実に塞ぐことができる。
【００１４】
（３）本発明は、クッション材と補強リングとが接着されているので、その一体性を高め、補強リングは、効果的にクッション材を補強することができる。
【００１５】
（４）本発明は、補強リングが、被覆材により覆われているので、補強リングとクッション材との一体性を高めることができ、より確実にクッション材を補強することができる。
【００１６】
（５）本発明は、クッション材は、小径部と、これよりも音孔側の大径部とから形成される。そして、補強リングは、小径部の外周部に設けられている。
これにより、補強リングと被覆材との間に大径部を介在させることにより、クッション材と被覆材とを接触させて、これらの間に隙間が生じることを防止できる。また、大径部の縁部の変形を効果的に防止することができる。そして、クッション材を音孔の開口縁部に、確実に当接することができる。
【００１７】
（６）本発明は、小径部材と大径部材とが別部材であるので、クッション材の加工が容易であり、コスト、納期等の部品調達面で有利である。
【００１８】
（７）本発明は、小径部材と大径部材とが接着されているので、その一体性を高めることができ、補強リングを用いて効果的に補強することができる。
【００１９】
（８）本発明は、補強手段がクッション材の外周部を硬化させた部分、又は、クッション材の外周部を絡げた部分であるので、（２）と同様な効果を得ることができる。
【発明を実施するための最良の形態】
【００２０】
本発明は、木管楽器の音孔を確実に塞ぎ、安定した音色を発生することができる木管楽器用タンポを提供するという目的を、フルート（木管楽器）の音孔を塞ぐフェルトを、小径部と、これよりも音孔側に連設された大径部とから形成し、そして、小径部の外周に補強リングを設け、スキン（被覆材）を用いてこれらを覆い、かつ、補強リングは、大径部の縁部をスキンとの間に挟み込むようにして設けることによって実現した。
【実施例１】
【００２１】
以下、図面等を参照して、本発明の実施例をあげて、さらに詳しく説明する。
図１は、本発明を適用した実施例１のタンポが取り付けられたフルート１（木管楽器）を示す図である。図１（ａ）は、フルート１の正面図であり、図１（ｂ）は横断面図（図１（ａ）のＡ−Ａ部断面図）である。
フルート１は、図１に示すように、フルート本体２と鍵機構１０とを有している。
フルート本体２は、図１（ｂ）に示すように、円筒状に形成され、また、外側に突き出るように分岐管３が設けられている。
この分岐管３は、円筒状に形成され、その開口縁部３ａに後述するタンポ２０が当接し、開口孔である音孔４が塞がれることにより、フルート１は、所望の音色を発生する。
【００２２】
鍵機構１０は、演奏者の演奏に従って、フルート本体２の音孔４を塞いで、所望の音色を発生するために、フルート本体２に設けられた機構である。鍵機構１０は、後述するカップ１１等を、フルート本体２の中心軸に対して平行な軸Ｘを中心として回転して（回転方向θ１）、音孔４を塞ぐ。
鍵機構１０は、カップ１１と、ボス１２と、ワッシャ１３と、ネジ１４と、タンポ２０（木管楽器用タンポ）とを備えている。
カップ１１は、タンポ２０を収容するために、例えば、銀等を絞り加工して、浅底のカップ状に形成された部材である。カップ１１は、腕状に形成された軸Ｘを中心に回転可能なアーム部１１ａが設けられており、これによって、タンポ２０と一体で軸Ｘを中心に回転する。
【００２３】
ボス１２は、タンポ２０を固定するために、カップ１１の内側中央に突設された円筒状のボスである。ボス１２は、その内周面に後述するネジ１４とネジ結合するためのメスネジ部１２ａが設けられている。
ワッシャ１３は、タンポ２０を抑えるためのワッシャである。
ネジ１４は、タンポ２０をカップ１１に固定するためのネジである。ネジ１４は、ワッシャ１３を介して、タンポ２０を挟み込み、ボス１２にネジ結合している。
タンポ２０は、音孔４を塞ぐためにカップ１１に収容され、ネジ１４を用いてネジ止めされた部材である。タンポ２０は、鍵機構１０により、カップ１１と一体で軸Ｘを中心に回転し、そして、その表面側から分岐管３の開口縁部３ａに、平行に当接することにより、音孔４を塞ぐ。タンポ２０の構造については、後述する。
【００２４】
図２は、タンポ２０を示す図であり、図２（ａ）は縦断面図であり、図２（ｂ）は、横断面図（図２（ａ）のＢ−Ｂ部断面図）であり、図２（ｃ）は、一部拡大図（図２（ａ）の２点鎖線内）である。
図３は、その構造を一部変更したタンポを示す図である。
タンポ２０は、図２に示すように、その中心に、ボス１２が貫通するための貫通孔２０ａを有する円環状に形成されている。タンポ２０は、フェルト２１（クッション材）と、補強リング２２（補強手段）と、基板２３と、スキン２４（被覆材）とから構成される。
フェルト２１は、適度な弾力を有したクッション材であり、分岐管３の開口縁部３ａに当接したときに撓んで、後述するスキン２４を介して確実に音孔４を塞ぎ、かつ、演奏者が適度なタッチ感を得られるようにする部材である。フェルト２１は、その厚みが２ｍｍ程度になるように形成され、小径部２１ａと、大径部２１ｂとを有している。
【００２５】
小径部２１ａは、外周面に後述する補強リング２２が設けられた部分である。小径部２１ａは、例えば、１ｍｍ〜１．５ｍｍ程度の厚みに形成されている。
大径部２１ｂは、小径部２１ａの音孔４側に連設され、小径部２１ａよりも径を大きく形成された部分である。大径部２１ｂは、例えば、０．５ｍｍ〜１ｍｍ程度の厚みに形成されている。
なお、図３（ａ）に示すように、フェルトは、別部材である小径部材３１ａと大径部材３１ｂとから構成されるフェルト３１としてもよい。これは、フェルトの加工を容易にして、コスト、納期等の部品調達面で有利にするためである。
【００２６】
補強リング２２は、フェルト２１を、小径部２１ａの外周（外周部）から補強するために、その内径が小径部２１ａの外径と略同一に形成され、また、その外径が大径部２１ｂの外径と略同一に形成された、例えば、アルミ等の円環状の部材である。補強リング２２は、厚みが小径部２１ａに合わせて１ｍｍ〜１．５ｍｍ程度の厚みに形成されている。また、径方向の厚みは、大径部２１ｂの外径と合わせるために、例えば、０．５ｍｍ程度である。補強リング２２の内径は、フェルト２１が分岐管３の開口縁部３ａに当接したときに十分に撓めるように、開口縁部３ａよりも大きい。
補強リング２２は、フェルト２１を小径部２１ａの外周（外周部）から補強して、タンポ２０全体の面の歪みや、曲げによる変形を防止している。また、補強リング２２は、図２（ｃ）に示すように、大径部２１ｂのフランジ状の縁部２１ｃを、後述するスキン２４との間に挟み込むようにして、カップ１１側から押さえている。
【００２７】
これにより、大径部２１ｂは、確実にスキン２４と接触することができ、スキン２４との間に隙間が生じることを防止できる。また、縁部２１ｃの変形（図６参照）を効果的に防止することができるので、タンポ２０は、分岐管３の開口縁部３ａに当接したときに、開口縁部３ａに確実に密着して、息漏れを防止することができる。
なお、図３（ｂ）に示すように、補強リングは、その厚みを、小径部２１ａ（厚み１ｍｍ〜１．５ｍｍ程度）と後述する基板２３（厚み０．３ｍｍ程度）とを足した補強リング３２としてもよい。これにより、補強リングの強度を高めることができるので、フェルト２１をより効果的に補強することができる。
また、補強リング２２とフェルト２１（小径部２１ａ又は大径部２１ｂ）とを接着してもよい。これにより、補強リング２２は、フェルト２１との一体性を高め、フェルト２１をより効果的に補強することができる。
【００２８】
基板２３は、フェルト２１の形状を保持するために、フェルト２１に設けられた台紙である。基板２３は、厚みが、例えば、０．３ｍｍ程度である。基板２３は、その外径が補強リング２２の外径と略同一であり、フェルト２１の小径部２１ａと補強リング２２を、カップ１１側から保持している。
スキン２４は、前述したフェルト２１、補強リング２２、基板２３を、一体で覆うために設けられた被覆材である。スキン２４は、フェルト２１に音孔４側から覆うようにして被せられ、そして、カップ１１側の基板２３に、接着材等を用いて固着される。スキン２４は、分岐管３の開口縁部３ａに確実に密着するために、例えば、牛等の動物の内臓表皮を加工したもの等が用いられる。スキン２４は、補強リング２２をフェルト２１とともに、覆っているため、補強リング２２とフェルト２１との一体性を高めることができ、より確実にフェルト２１を補強することができる。
【００２９】
以上説明したように、実施例１の木管楽器用タンポ２０は、音孔４を塞ぐフェルト２１（クッション材）と、その外周部に補強リング２２（補強手段）とを備え、スキン２４（被覆材）がこれらを一体で覆っている。
これにより、フェルト２１と補強リング２２の一体性を高め、フェルト２１の特に外周部の剛性を、より効果的に向上することができる。そして、音孔４を確実に塞ぎ、演奏時における息漏れを防止して、安定した音色を得ることができる。また、特に製造時におけるタンポ調整（音孔とタンポとの当たりの調整）の作業性を、向上することができる。
【００３０】
また、補強リング２２は、図２（ａ）、図２（ｃ）に示すように、大径部２１ｂの縁部２１ｃをスキン２４との間に挟み込むようにして設けられている。すなわち、補強リング２２は、スキン２４との間に、常に大径部２１ｂを介在させるようにして設けられている。
これにより、フェルト２１とスキン２４との間に隙間が生じることを防止できる。また、大径部２１ｂの縁部２１ｃの変形を効果的に防止して、分岐管３の開口縁部３ａとの間に隙間が生じることを防止できる。
【実施例２】
【００３１】
次に、本発明を適用したタンポの実施例２について説明する。
実施例２のタンポは、実施例１のタンポ２０の内周部にも、補強リングを設けたタンポ４０である。なお、前述した実施例１のタンポと同様な機能を果たす部分には、末尾の番号を同一とし、重複する説明を適宣省略し、主に変更箇所について説明する。
図４は、実施例２のタンポ４０を示す図であり、図４（ａ）は縦断面図であり、図４（ｂ）は、横断面図（図４（ａ）のＣ−Ｃ部断面図）であり、図４（ｃ）は、一部拡大図（図４（ａ）の２点鎖線内）である。
図４（ａ）、図４（ｃ）に示すように、タンポ４０は、内側補強リング４５が設けられている。
内側補強リング４５は、フェルト４１を、小径部４１ａの内周（内周部）から補強するための、例えば、アルミ等の円環状の部材である。内側補強リング４５は、その内径がタンポ４０にボス１２（図１参照）を貫通するために設けられた貫通孔４０ａの孔径と略同一に形成され、また、その外径が小径部４１ａの内径と略同一に形成されている。厚みについては、補強リング４２と同様に、小径部４１ａに合わせて１ｍｍ〜１．５ｍｍ程度の厚みに形成されている。
【００３２】
以上説明したように、実施例２のタンポ４０は、補強リング４２に加えて、内側補強リング４５が設けられ、フェルト４１を、その小径部４１ａの内周（内周部）と外周（外周部）とから補強している。これにより、フェルト４１をより効果的に補強することができる。
なお、内側補強リング４５、補強リング４２は、必要な補強の度合いに応じて、どちらか片方を用いてもよい。
また、フェルト４１、内側補強リング４５についても、実施例１において、図３（ａ）、図３（ｂ）を用いて説明した同様な変形が可能であり、それぞれ、同様な効果を得ることができる。
【００３３】
（変形例）
以上説明した実施例に限定されることなく、種々の変形や変更が可能であって、それらも本発明の均等の範囲内である。
【００３４】
（１）実施例１において、タンポ２０は、円環状に形成された例を示したが、これに限定されない。例えば、タンポの外径が小さく、貫通孔のないタイプのタンポに補強リングを設けてもよい。これによっても、同様にフェルトを補強して、タンポの剛性を向上することができる。
【００３５】
（２）実施例１において、小径部材３１ａと大径部材３１ｂとが別部材である例を示したが、これをさらに接着して、一体にしてもよい。これにより、フェルトの一体性が向上するので、補強リング２２は、より効果的にフェルトを補強することができる。
【００３６】
（３）各実施例において、フェルトの補強手段が補強リングである例を示したが、これに限定されない。例えば、補強手段は、フェルト（クッション材）の内周部、外周部を硬化液等で硬化させた部分、又は、内周部、外周部を糸等で絡げた部分であってもよい。これによっても、フェルトを効果的に補強することができる。
【００３７】
（４）各実施例において、補強リングは、スキン（被覆材）により覆われている例を示したが、これに限定されない。例えば、補強リングをスキンの外側に設け、タンポを補強してもよい。これによっても、補強リングは、フェルトを補強することができる。
【００３８】
（５）各実施例において、タンポは、フルート用である例を示したが、これに限定されない。同様な構造のタンポを他の木管楽器に用いても、同様な効果が得られる。
【図面の簡単な説明】
【００３９】
【図１】本発明による実施例１のタンポを取り付けたフルートを示す図である。
【図２】実施例１のタンポを示す図ある。
【図３】実施例１の一部変更したタンポを示すである。
【図４】本発明による実施例２のタンポを示す図である。
【図５】従来のタンポと、これを取り付けたフルートを示す図である。
【図６】従来のタンポの変形等を示す図である。
【符号の説明】
【００４０】
１    フルート
３    分岐管
３ａ    開口縁部
４    音孔
１０    鍵機構
１１    カップ
２０    タンポ
２１，３１，４１    フェルト
２１ａ，４１ａ    小径部
２１ｂ，４１ｂ    大径部
３１ａ    小径部材
３１ｂ    大径部材
２２，３２，４２    補強リング
２３    基板
２４    スキン
４５    内側補強リング
【図１】
2006285123.tif 000003
【図２】
2006285123.tif 000004
【図３】
2006285123.tif 000005
【図４】
2006285123.tif 000006
【図５】
2006285123.tif 000007
【図６】
2006285123.tif 000008